(57)【要約】【課題】会場内の各座席により適した優先順位を容易に設定できるようにする。【解決手段】入力装置１００を操作して複数の座席を含む領域が指定されると、データ処理装置１１０の領域認識手段１１１により、指定された領域が認識され、この領域と記憶装置１２０の公演情報１２１および座席情報１２２に基づき対象座席設定手段１１２により、領域内の対象となる座席が設定され、開始点と方向が指定されると、優先順位設定手段１１３により、その領域内の各座席に対して始点として指定された座席等から指定された方向に優先順位が設定される。このとき、座席がない、或いは座席として指定できない座席はスキップされ、その他の座席にのみ優先順位が設定される。設定された優先順位に基づき座席情報１２２が更新される。【選択図】図１ 
2005250608.tif 000002
【特許請求の範囲】
【請求項１】
座席を予約する座席予約システムであって、
複数の前記座席を含む所定の領域を設定する領域設定手段と、
前記領域設定手段によって設定された前記領域において、前記領域に対応する優先順位の設定を開始する始点を設定する始点設定手段と、
前記領域において前記優先順位を設定する方向を指定する方向指定手段と、
前記領域内の各座席に対して設定すべき前記領域に対応する前記優先順位を指定する優先順位指定手段と、
前記領域内の各座席に前記領域に対応する前記優先順位を設定する優先順位設定手段と
を備えることを特徴とする座席予約システム。
【請求項２】
少なくとも、前記方向指定手段によって指定された前記方向と、前記優先順位設定手段によって設定された前記領域に対応する前記優先順位とを各座席毎に記憶する記憶手段をさらに備える
ことを特徴とする請求項１に記載の座席予約システム。
【請求項３】
前記方向指定手段によって指定された前記方向に基づいて、前記領域内における各座席の優先順位を設定する領域内優先順位設定手段をさらに備える
ことを特徴とする請求項１または２に記載の座席予約システム。
【請求項４】
前記領域内において前記座席として指定できない領域はスキップし、前記優先順位の設定を行わない
ことを特徴とする請求項１乃至３のいずれかに記載の座席予約システム。
【請求項５】
前記領域内において前記座席が存在しない領域はスキップし、前記優先順位の設定を行わない
ことを特徴とする請求項１乃至４のいずれかに記載の座席予約システム。
【請求項６】
座席を予約する座席予約方法であって、
複数の前記座席を含む所定の領域を設定する領域設定ステップと、
前記領域設定ステップにおいて設定された前記領域において、前記領域に対応する優先順位の設定を開始する始点を設定する始点設定ステップと、
前記領域において前記優先順位を設定する方向を指定する方向指定ステップと、
前記領域内の各座席に対して設定すべき前記領域に対応する前記優先順位を指定する優先順位指定ステップと、
前記領域内の各座席に前記領域に対応する前記優先順位を設定する優先順位設定ステップと
を備えることを特徴とする座席予約方法。
【請求項７】
座席を予約する座席予約システムを制御する座席予約プログラムであって、
複数の前記座席を含む所定の領域を設定する領域設定ステップと、
前記領域設定ステップにおいて設定された前記領域において、前記領域に対応する優先順位の設定を開始する始点を設定する始点設定ステップと、
前記領域において前記優先順位を設定する方向を指定する方向指定ステップと、
前記領域内の各座席に対して設定すべき前記領域に対応する前記優先順位を指定する優先順位指定ステップと、
前記領域内の各座席に前記領域に対応する前記優先順位を設定する優先順位設定ステップと
を前記座席予約システムに実行させることを特徴とする座席予約プログラム。
【発明の詳細な説明】
【技術分野】
【０００１】
本発明は座席予約システムに関し、特に、複数の座席に対して優先順位を設定し、優先順位に基づいて座席の予約を行う座席予約システムに関するものである。
【背景技術】
【０００２】
従来の座席予約システムにおける優先順位の設定方法の一例が、特許文献１に記載されている。この従来の座席予約システムにおける優先順位の設定方法は、座席予約を行う場合、複数の座席（例えば、２枚）の予約を要求する確率が最も高く、その際、残座席を少しでも減らすために、主催者側にとって効率的に座席予約を行うためのものとなっている。また、予め座席に対して設定する優先順位は、同一席種においては、一種類の基準によって定められている。（特許文献１では公報内で特筆はされていないが、図２および段落００１５の記載からそのように考えられる）。
また、特許文献２によると、座席予約はインターネットにより、予約者が会場のどの席が空いているかという情報を確認しながら所望の座席の座席予約をする方法が記載されている。
これらの背景技術を考えると、インターネットを介して座席予約を行う場合、同一席種内で枚数（予約する座席数）だけ指定し、後は空いている席のうち、「一般的に良いと思われる席」の中から優先的に自動で座席を予約する方法（以下、「おまかせ予約コース」という）と、座席予約者からすると、少々座席予約操作が煩雑でも、空いている席の中から、特定の席を予約する方法（以下、「こだわり予約コース」という）を混在させた、インターネットを介した座席予約システムが実現可能となる。
このような座席予約システムの場合、特許文献１に記載されているような、主催者側にとって効率的な座席予約を行うと、「こだわり予約コース」での予約者が空席状況を見たときに、同一席種内でステージに向かって、前方より後方の席から予約がされており、不自然な予約状況になる可能性もある。また、「おまかせ予約コース」機能しかないインターネットでの座席予約システムでも、空席状況が確認できる機能があるようなシステムにおいては、この状況がより顕著に表れる可能性がある。
【特許文献１】特許第３２５２８３８号公報
【特許文献２】特開２００１−１５５１９１号公報
【発明の開示】
【発明が解決しようとする課題】
【０００３】
このように、従来、同一席種の中での優先順位についてはステージ最前列左側から最後列右側へ席番号の昇順で無条件に設定する方法がある。但し、この方法では、ステージに花道などがある場合は、必ずしも前方左側が良い席とは言えず、また、野球場などのようにグランドには近いが、照明灯があり、ボールが見えにくい場所があるような場合にも、このような優先順位の設定方法では良い席から順に優先順位付けをするといことができないという課題がある。
また、別の従来の方法として、一席毎に優先順位を設定することも考えられるが、この方法では、上記課題は解決できるが、一席毎に優先順位を設定する作業は優先順位の設定者にとっては大きな負担となるという問題があった。
本発明はこのような状況に鑑みてなされたものであり、全座席の優先順位を、全座席に対して任意に設定した領域毎に設定することにより、各座席に対してより適した優先順位を容易に設定することができるようにするものである。
【課題を解決するための手段】
【０００４】
請求項１に記載の座席予約システムは、座席を予約する座席予約システムであって、複数の座席を含む所定の領域を設定する領域設定手段と、領域設定手段によって設定された領域において、領域に対応する優先順位の設定を開始する始点を設定する始点設定手段と、領域において優先順位を設定する方向を指定する方向指定手段と、領域内の各座席に対して設定すべき領域に対応する優先順位を指定する優先順位指定手段と、領域内の各座席に領域に対応する優先順位を設定する優先順位設定手段とを備えることを特徴とする。
また、少なくとも、方向指定手段によって指定された方向と、優先順位設定手段によって設定された領域に対応する優先順位とを各座席毎に記憶する記憶手段をさらに備えるようにすることができる。
また、方向指定手段によって指定された方向に基づいて、領域内における各座席の優先順位を設定する領域内優先順位設定手段をさらに備えるようにすることができる。
また、領域内において座席として指定できない領域はスキップし、優先順位の設定を行わないようにすることができる。
また、領域内において座席が存在しない領域はスキップし、優先順位の設定を行わないようにすることができる。
請求項６に記載の座席予約方法は、座席を予約する座席予約方法であって、複数の座席を含む所定の領域を設定する領域設定ステップと、領域設定ステップにおいて設定された領域において、領域に対応する優先順位の設定を開始する始点を設定する始点設定ステップと、領域において優先順位を設定する方向を指定する方向指定ステップと、領域内の各座席に対して設定すべき領域に対応する優先順位を指定する優先順位指定ステップと、領域内の各座席に領域に対応する優先順位を設定する優先順位設定ステップとを備えることを特徴とする。
請求項７に記載の座席予約プログラムは、座席を予約する座席予約システムを制御する座席予約プログラムであって、複数の座席を含む所定の領域を設定する領域設定ステップと、領域設定ステップにおいて設定された領域において、領域に対応する優先順位の設定を開始する始点を設定する始点設定ステップと、領域において優先順位を設定する方向を指定する方向指定ステップと、領域内の各座席に対して設定すべき領域に対応する優先順位を指定する優先順位指定ステップと、領域内の各座席に領域に対応する優先順位を設定する優先順位設定ステップとを座席予約システムに実行させることを特徴とする。
【発明の効果】
【０００５】
本発明の座席予約システムによれば、次のような効果が得られる。第１の効果は、会場全体の中で優先順位を設定する方向等の設定方法が異なる複数の領域があるときに、各領域に対応する設定方法で容易に優先順位を設定することができることである。その理由は、会場全体の中から優先順位を設定したい複数の座席を含む領域を選択し、その領域に含まれる各座席に対してその領域に対応した設定方法でまとめて優先順位を設定することができるためである。第２の効果は、座席として指定できない領域および実際に座席がない領域を含んだ矩形領域に対し、まとめて優先順位付けができることである。その理由は、座席として指定できない領域および座席がない領域をスキップし、その他の座席に対してのみ優先順位付けを行うことができるためである。これにより、各座席に対してより適切な優先順位を設定することができる。
【発明を実施するための最良の形態】
【０００６】
本発明の座席予約システムは、劇場、映画館、野球場などの座席予約を行う場合に、席種（Ｓ席、Ａ席等）を指定すると、同一席種の中から一般的に良いと思われる座席から順に（例えば、ステージ、スクリーン、競技場などに近い座席から順に）予約していく機能を有しており、この「一般的に良いと思われる座席」の優先順位を設定する際に、優先順位を設定する「領域」と、「始点」と、「方向」を指定することにより、より適切な優先順位の設定を容易に行うことができるという特徴を有している。
【０００７】
次に、本発明の実施の形態について図面を参照して詳細に説明する。図１は、本発明の一実施の形態の構成例を示すブロック図である。同図に示すように、本実施の形態は、入力装置１００と、データ処理装置１１０と、記憶装置１２０と、表示装置１３０とから構成されている。また、データ処理装置１１０は、領域認識手段１１１と、対象座席設定手段１１２と、優先順位設定手段１１３とを含み、記憶装置１２０は、公演情報１２１と、座席情報１２２とを記憶している。
【０００８】
データ処理装置１１０を構成する領域認識手段１１１は、入力装置１００より指定された領域を認識するようになっている。対象座席設定手段１１２は、記憶装置１２０に記憶されている公演情報１２１と、記憶装置１２０に記憶されている座席情報１２２をもとに、領域認識手段１１１において認識された領域の中で優先順位を設定する対象となる座席（対象座席）を設定するようになっている。優先順位設定手段１１３は、入力装置１００より指定された始点（座席等）と方向を示す情報をもとに、対象座席設定手段１１２により優先順位の設定対象として設定された対象座席の各座席の優先順位（後述する領域優先順位および領域内優先順位）を設定し、記憶装置１２０に記憶されている座席情報１２２にその情報（対象座席の優先順位）を書き込んで更新し、表示装置１３０に表示させるようになっている。
【０００９】
次に、図１および図２のフローチャートを参照して、本実施の形態の動作について詳細に説明する。まず、オペレータにより入力装置１００が操作され、座席の優先順位の設定を行いたい公演が指定されると、データ処理装置１１０は記憶装置１２０の公演情報１２１から該当するレコードを読み取り、指定された公演が行われる会場の座席レイアウト（座席図）を座席情報１２２から読み出して表示装置１３０に表示させる（図２のステップＡ１）。図３は、公演情報１２１の構成例を示している。同図に示すように、公演情報１２１は、演目コード５０１と、演目名５０２と、会場コード５０３と、会場名５０４とからなる複数のレコードにより構成されている。そして、指定すべき演目は演目コード５０１と、会場コード５０３により特定され、公演情報１２１は記憶装置１２０に記録されている。座席情報１２２は、公演情報１２１の各会場名５０４に対応する座席レイアウト等からなる。
【００１０】
図４は、座席設定画面の表示例を示している。同図に示すように、座席設定画面には、演目コード指定欄２０１と、演目名称指定欄２０２と、会場コード指定欄２０３と、会場名称指定欄２０４と、始点指定欄３０１と、優先順位設定方向指定欄３０２と、領域優先順位指定欄３０３と、座席レイアウトが表示されている。この場合、演目コード指定欄２０１には「１２３４」が指定され、演目名称指定欄２０２には「エレファントキング」が指定され、会場コード指定欄２０３には「５６７８」が指定され、会場名称指定欄２０４には「東京大劇場ホール」が指定されている。また、始点指定欄３０１には座席番号「Ａ７」が指定され、優先順位設定方向指定欄３０２には右方向を示す「→」が指定され、領域優先順位指定欄３０３には最も高い優先順位を示す「１」が指定されている。
【００１１】
また、各座席の座席情報は、図６に示すように、席種、席番号、座席有無、優先順位（領域優先順位（各領域毎に設定される優先順位））、方向（優先順位の設定方向）、および領域内での各座席の優先順位である領域内優先順位からなる複数のレコードより構成されている。この座席情報は、記憶装置１２０に記憶されている。以下では、領域優先順位および領域内優先順位をまとめて適宜単に優先順位と記載する。
【００１２】
次に、オペレータにより入力装置１００が操作され、座席設定画面の座席レイアウトの中から優先順位を設定したい領域（選択領域）が指定されると、領域認識手段１１１は選択された領域を認識し、対象座席設定手段１１２は、その領域内の座席を記憶する（ステップＡ２）。さらに、オペレータにより入力装置１００が操作され、選択された領域の優先順位の設定を開始する位置（座席等）を識別するための始点が指定されると、データ処理装置１１０は指定された始点を記憶する（ステップＡ３）。さらに、オペレータによりその始点から優先順位の設定を行う方向が指定されると、データ処理装置１１０は指定された方向を記憶する（ステップＡ４）。さらに、オペレータにより、選択された領域に対応する優先順位（番号）が指定されると、データ処理装置１１０は指定された優先順位を記憶する（ステップＡ５）。データ処理装置１１０は、この始点と、方向と、優先順位をもとに、指定された領域内にある座席の優先順位を設定し、その結果を記憶装置１２０に記憶されている座席情報１２２に登録する（ステップＡ６）。最後に、優先順位を指定する領域の選択が終了したか否かが確認され、終了していなければ、ステップＡ２に戻り、ステップＡ２以降の処理が繰り返し実行される。一方、終了していれば、本処理を終了する（ステップＡ７）。
【００１３】
次に、本実施の形態の動作を具体例を用いて説明する。まず、図４の座席設定画面において選択領域３０４に含まれる座席に対して優先順位を設定する手順について説明する。この場合、座席番号Ａ７〜Ａ１７、Ｂ７〜Ｂ１７、Ｃ７〜Ｃ１７、Ｄ７〜Ｄ１７に対応する座席に対して、座席番号Ａ７，Ａ８，・・・Ａ１７、Ｂ７，Ｂ８，・・・Ｂ１７、Ｃ７，Ｃ８，・・・Ｃ１７、Ｄ７，Ｄ８，・・・Ｄ１７の順番で優先順位が設定される。
【００１４】
まず、オペレータは、入力装置１００を操作して、座席設定画面に表示された全座席の中から座席番号Ａ７〜Ａ１７、Ｂ７〜Ｂ１７、Ｃ７〜Ｃ１７、Ｄ７〜Ｄ１７の座席を含む領域（選択領域）３０４を指定する。これは、入力装置１００が備えるポインティングデバイスなどを用いて、座席設定画面上で選択領域３０４に対応する矩形領域を指定することによって行う。
【００１５】
次に、オペレータは、入力装置１００を操作して、始点指定欄３０１に始点となる座席の番号を指定する。ここでは座席番号「Ａ７」が指定されている。次に、優先順位設定方向指定欄３０２に優先順位設定方向を指定する。これはプルダウンメニューによって表示された選択項目「→」、「←」、「↑」、「↓」の中から指定する。ここでは「→」が選択されている。
【００１６】
最後に、オペレータは入力装置１００を操作して、領域優先順位指定欄３０３に領域優先順位を指定する。これはプルダウンメニューにより表示された優先順位を示す選択項目「１」、「２」、「３」、・・・、の中から指定するが、既に指定されている優先順位はプルダウンメニューで表示しないようにすることも可能である。ここでは「１」が指定されている。領域優先順位とは、各領域毎に割り当てられる優先順位である。
【００１７】
オペレータが入力装置１００に対して所定の操作を行い、これらの指定項目（始点、優先順位設定方向、領域優先順位）の指定が確定すると、優先順位設定手段１１３により、選択領域３０４に含まれる各座席の優先順位が決定される。優先順位を付ける方向としては、この例では、左から右に座席を検索しながら各座席に優先順位を付けることを示す検索方向「→」が選択されている。Ａ列の全席に対する優先順位の指定が終わると、Ｂ列の優先順位の指定が行われるように上下方向の指定が行われるが、通常、図４の座席レイアウトで示すような劇場タイプの会場では、予め検索方向「↓」が指定されているものとする。Ｂ列についても、Ａ列の場合と同様、左から右に座席を検索しながら各座席に優先順位が付けられる。また、各座席には、選択領域３０４内での各座席間の優先順位を示す領域内優先順位が付けられる。例えば、領域の優先順位が「１」の場合、領域内優先順位は優先順位の高い方から「１−１」、「１−２」、「１−３」等となる。また、座席設定画面の選択領域３０４の各座席には「→１」という表示がなされる。
【００１８】
次に、図５に示した座席設定画面例を参照して、選択領域４０４に含まれる座席に対して優先順位を設定する手順について説明する。この例では、座席番号Ａ４〜Ａ６、Ｂ３〜Ｂ６、Ｃ２〜Ｃ６、Ｄ１〜Ｄ６の各座席について、Ａ４，Ａ５，Ａ６、Ｂ３，Ｂ４，・・・Ｂ６、Ｃ２，Ｃ３，・・・Ｃ６、Ｄ１，Ｄ２，・・・Ｄ６の順番で優先順位が設定される。
【００１９】
まず、オペレータは、入力装置１００を操作して、座席設定画面に表示された全座席の中から座席番号Ａ４〜Ａ６、Ｂ３〜Ｂ６、Ｃ２〜Ｃ６、Ｄ１〜Ｄ６の座席を含む領域（選択領域）４０４を指定する。これは、入力装置１００が備えるポインティングデバイスなどを用いて、座席設定画面上で選択領域４０４に対応する矩形領域を指定することによって行う。
【００２０】
次に、オペレータは、入力装置１００を操作して、始点指定欄４０１に始点となる座席の番号を指定する。ここでは座席番号「Ａ１」が指定されている。次に、優先順位設定方向指定欄４０２に優先順位設定方向を指定する。これはプルダウンメニューによって表示された選択項目「→」、「←」、「↑」、「↓」の中から指定する。ここでは「→」が選択されている。
【００２１】
最後に、オペレータは入力装置１００を操作して、領域優先順位指定欄４０３に領域優先順位を指定する。これはプルダウンメニューにより表示された優先順位を示す選択項目「１」、「２」、「３」、・・・、の中から指定するが、既に指定されている優先順位はプルダウンメニューで表示しないようにし、複数の領域に同一の優先順位が重複して設定されることがないようにすることも可能である。ここでは「２」が指定されている。
【００２２】
ここで、座席設定画面は、縦軸４０５はＡ〜Ｍ、・・・Ｚ（図示せず）、横軸４０６は１〜２３の行列形式で表示、管理されているが、この演目では座席として指定できない部分は黒塗りで表示されている。また、この例では、始点として黒塗りされた（座席として指定できない）座席「Ａ１」が指定されている。
【００２３】
優先順位が設定される際、座席番号Ａ１の座席から「→」の方向（画面の右方向）に指定していくが、その際、座席情報１２２を参照する。座席情報は図６に示したような構成となっており、座席の有無を示す座席有無フラグの値（「Ｎ」（なし）、「Ｙ」（有り））を参照し、座席番号で示される該当箇所に座席があるか否かが判断される。ここでは、座席番号Ａ１，Ａ２，Ａ３に対応する座席有無フラグの値が「Ｎ」となっており、図６には図示していないが、座席番号Ｂ１，Ｂ２と、座席番号Ｃ１は、それぞれ対応する座席有無フラグの値が「Ｎ」となっている。つまり座席が存在せず、座席として指定できないことを示しているので、これらの座席には優先順位付けは行われない。
【００２４】
この結果、選択領域４０４に含まれる各座席に対する優先順位は、Ａ４，Ａ５，Ａ６、Ｂ３，Ｂ４，・・・Ｂ６、Ｃ２，Ｃ３，・・・Ｃ６、Ｄ１，Ｄ２，・・・Ｄ６の順でそれぞれ設定される。各座席に設定された領域優先順位は「２」となり、領域内優先順位は、座席Ａ４には「２−１」、座席Ａ５には「２−２」、座席Ａ６には「２−３」、座席Ｂ３には「２−４」、座席Ｂ４には「２−５」、座席Ｂ５には「２−６」、・・・等となる。
【００２５】
上記の実施の形態においては、優先順位付けする際に、「座席として指定できない位置」をスキップする例について説明したが、選択された領域内に既に優先順位が設定された座席がある場合は、その座席も同様にスキップすることも可能である。
【００２６】
その実現のために必要な具体的な方法について説明する。まず、図５に示した座席設定画面において、始点指定欄４０１、優先順位設定方向指定欄４０２、領域優先順位指定欄４０３の他に、さらに更新設定の有無を指定するための更新設定有無指定欄（図示せず）を表示させ、更新設定の有無を指定することができるようにする。オペレータが更新設定有無指定欄に「有」を指定した場合、図６に示した座席情報の優先順位がＮＵＬＬであるか否かにかかわらず、領域優先順位指定欄４０３に指定された領域優先順位で更新を行う。一方、オペレータが更新設定有無指定欄に「無」を指定した場合、座席情報の優先順位がＮＵＬＬ値の座席（まだ優先順位が指定されていない座席）のみに、指定された領域優先順位を設定し、座席情報を更新する。このように、更新設定有無指定欄に「無」を設定することにより、選択した矩形領域４０４に既に優先順位（領域優先順位）が設定された座席が含まれていたとしても、その座席をスキップすることが可能となる。
【００２７】
以上説明したように、本実施の形態により、複数の座席を含む領域を指定することによってそれらの複数の座席をまとめて指定し、その領域内で優先順位の設定に必要な始点や方向などを指定する構成とされているため、劇場、映画館、野球場等の個々の公演演目の条件に応じた座席の優先順位付けを容易に行うことができる。また、本実施の形態では、優先順位を設定したい座席を含む領域の形状が必ずしも矩形ではない場合があるが、その場合でも優先順位を設定したい座席を含む矩形領域を設定し、その矩形領域内に含まれる座席のうち、優先順位の設定を必要としない座席はスキップして優先順位の設定を行わないようにすることができる構成とされているため、優先順位を設定したい複数の座席を囲む領域の形状が矩形でない場合についても、優先順位を設定したいある程度まとまった複数の座席に対し、優先順位付けを容易に行うことができる。
【００２８】
また、本実施の形態によれば、優先順位を設定したい領域をポインティングデバイスなどを使用して選択し、優先順位を設定する始点（座席）と、優先順位を設定する方向と、優先順位番号を指定することにより、選択した領域の座席の優先順位を容易に設定することができる。これにより、例えば、図７に示したようにステージに花道のある劇場では、花道の近くのある特定の領域の座席だけ優先順位を上げることができる。また、野球場等では、照明灯が邪魔になるような複数の席だけ優先順位を下げるような設定を容易に行うことができる。
【００２９】
なお、上記実施の形態の構成および動作は例であって、本発明の趣旨を逸脱しない範囲で適宜変更することができることは言うまでもない。
【００３０】
また、本発明は、劇場、映画館、野球場などにも適用することができ、同一席種内での優先順位付けを、各会場の個別の条件に従い、効率的かつ容易に設定することができる。
【図面の簡単な説明】
【００３１】
【図１】本発明の一実施の形態の構成例を示すブロック図である。
【図２】本実施の形態の動作を説明するためのフローチャートである。
【図３】公演情報の構成例を示す図である。
【図４】座席設定画面の表示例を示す図である。
【図５】座席設定画面の他の表示例を示す図である。
【図６】座席情報の構成例を示す図である。
【図７】ステージに花道のある劇場の座席配置例を示す図である。
【符号の説明】
【００３２】
１００  入力装置
１１０  データ処理装置
１１１  領域認識手段
１１２  対象座席設定手段
１１３  優先順位設定手段
１２０  記憶装置
１２１  公演情報
１２２  座席情報
１３０  表示装置
２０１  演目コード指定欄
２０２  演目名称指定欄
２０３  会場コード指定欄
２０４  会場名称指定欄
３０１，４０１  始点指定欄
３０２，４０２  優先順位設定方向指定欄
３０３，４０３  領域優先順位指定欄
３０４，４０４  選択領域
４０５  縦軸
４０６  横軸
５０１  演目コード
５０２  演目名
５０３  会場コード
５０４  会場名
【図１】
2005250608.tif 000003
【図２】
2005250608.tif 000004
【図３】
2005250608.tif 000005
【図４】
2005250608.tif 000006
【図５】
2005250608.tif 000007
【図６】
2005250608.tif 000008
【図７】
2005250608.tif 000009